(57)【要約】      （修正有）【課題】内蔵された基板のメンテナンス性が高く、基板に搭載された電子部品の不具合を極力抑制することが可能な電子機器を提供する。【解決手段】プリンターは、オートカッター，サーマルヘッド，プラテンローラーと、これらを制御するための電子部品４２を搭載した回路基板４１とを共通のケース本体４内に備え、使用状態ではオートカッター等に対し回路基板４１が下部に位置する姿勢となるように配置され、回路基板４１が電子部品４２を搭載した搭載面４１ａを下に向けて配置されている。【選択図】図４
2011037181.tif 000002
【特許請求の範囲】
【請求項１】
可動部を含む被制御部と、前記被制御部の制御のための電子部品を搭載した基板とを共通の筺体内に備えている電子機器であって、
前記電子機器の使用状態では、前記被制御部に対し前記基板が下部に位置する姿勢となるように前記被制御部と前記基板が配置され、前記基板が、前記電子部品を搭載した面を前記被制御部の反対側に向けて配置されていることを特徴とする電子機器。
【請求項２】
請求項１に記載の電子機器であって、
前記基板における前記電子部品を搭載した面の外側には、取り外し可能な蓋が設けられていることを特徴とする電子機器。
【請求項３】
請求項１または２に記載の電子機器であって、
前記基板における前記電子部品を搭載した面と反対の面の側には、保護シートまたは保護板が設けられていることを特徴とする電子機器。
【請求項４】
請求項１から３の何れか一項に記載の電子機器であって、
前記基板の前記電子部品を搭載した面には、コネクターが前記被制御部の反対側に向けて設けられ、前記コネクターから延びたケーブルによって前記基板と前記被制御部が電気的に接続されていることを特徴とする電子機器。
【請求項５】
請求項１から４の何れか一項に記載の電子機器であって、
前記電子機器は、記録紙に対して印刷するプリンターであり、
前記可動部は、印刷後の前記記録紙を切断するオートカッターであることを特徴とする電子機器。
【発明の詳細な説明】
【技術分野】
【０００１】
本発明は、電子部品が搭載された基板を有するプリンターなどの電子機器に関する。
【背景技術】
【０００２】
ＰＯＳ（Ｐｏｉｎｔ−Ｏｆ−Ｓａｌｅ）システムなどでは、ロール状の記録紙に印刷を施すレシートプリンター等のプリンターが用いられている。
この種のプリンターとしては、サーマルヘッドによって記録紙に印刷し、プラテンローラーとサーマルヘッドとで記録紙を表裏から挟んで繰り出し、本体開口に設けられたオートカッターにてカットするものが知られている（例えば、特許文献１参照）。
【先行技術文献】
【特許文献】
【０００３】
【特許文献１】特開２００８−２２９９８３号公報
【発明の概要】
【発明が解決しようとする課題】
【０００４】
上記のようなプリンターには、オートカッター、サーマルヘッド及び記録紙の繰出機構などを制御する各種の電子部品が搭載された回路基板が内蔵されている。
この回路基板の電子部品をメンテナンスする際には、プリンターの周囲を覆うカバーを取り外し、さらに、フレームなどにねじ止め固定されている回路基板を取り外し、搭載されている電子部品を露出させなければならなかった。
また、クーポン券などの発行用にプリンターを用いて、ファーストフードなどの店舗のレジカウンター等に設置した場合、このプリンターに誤って飲み物や水がかかってしまい、内蔵されている回路基板の電子部品に水が付着することがある。さらに、記録紙をカットした際に発生する紙粉が落下し、空気の流れなどで基板の電子部品に付着することもある。この場合、付着した紙粉などが湿気を吸って、電子部品の端子間を導通させることもある。電子部品に水や紙粉などの塵埃が付着すると、電子部品に不具合が生じるおそれがある。
【０００５】
本発明の目的は、内蔵された基板のメンテナンス性が良好で、基板に搭載された電子部品の不具合を極力抑制することが可能な電子機器を提供することを目的としている。
【課題を解決するための手段】
【０００６】
上記課題を解決することのできる本発明の電子機器は、可動部を含む被制御部と、前記被制御部の制御のための電子部品を搭載した基板とを共通の筺体内に備えている電子機器であって、
前記電子機器の使用状態では、前記被制御部に対し前記基板が下部に位置する姿勢となるように前記被制御部と前記基板が配置され、前記基板が、前記電子部品を搭載した面を前記被制御部の反対側に向けて配置されていることを特徴とする。
【０００７】
この構成の電子機器によれば、電子機器の下部を上に向けると容易に基板にアクセス可能である。そのため、基板のメンテナンス性が良好である。
また、使用状態では被制御部に対し下部になる位置に基板が配置され、基板の電子部品を搭載した面（いわゆる部品面、電子部品が半田付けされるため半田漕に浸される面の反対側の面、あるいは電子部品の搭載数が多い側の面）が下に向けられているので、電子機器に誤って水がかかっても基板の電子部品まで水が浸入せず、電子部品への水の付着を防止することができる。また、上方側の可動部で生じて機器内で落下する塵埃が空気の流れ等により電子部品に付着することも防止することができる。付着した紙粉などが湿気を吸って、電子部品の端子間を導通させることも防止できる。これにより、電子部品に水や塵埃が付着することによる電子部品の不具合を防止し、常に良好な性能を確保することができる。
【０００８】
また、本発明の電子機器において、前記基板における前記電子部品を搭載した面の外側には、取り外し可能な蓋が設けられていることが好ましい。
この構成の電子機器によれば、基板のメンテナンスを行いたい場合には、電子機器下部の蓋を取り外すだけで、基板の電子部品の搭載面を容易に露出させることができ、メンテナンス性が良好である。
【０００９】
また、本発明の電子機器において、前記基板における前記電子部品を搭載した面と反対の面の側には、保護シートまたは保護板が設けられていることが好ましい。
この構成の電子機器によれば、基板における上側の面であるいわゆる半田面（電子部品が半田付けされるため半田漕に浸される側の面、あるいは電子部品の搭載数が少ない側の面）が、保護シートまたは保護板によって上から落下してくる水や塵埃から保護される。これにより、電子部品の不具合を防止することができる。
【００１０】
また、本発明の電子機器において、前記基板の前記電子部品を搭載した面には、コネクターが前記被制御部の反対側に向けて設けられ、前記コネクターから延びたケーブルによって前記基板と前記被制御部が電気的に接続されていることが好ましい。
この構成の電子機器によれば、基板の電子部品を搭載した面に設けられたコネクターにおける接続状態のチェックなどのメンテナンスを容易に行うことができ、また、このコネクターの挿抜も容易に行うことができる。また、コネクターとケーブルの接続部である導通部分に、水や塵埃が付着することによる不具合を防止することができる。付着した紙粉などが湿気を吸って、コネクターの端子間を導通させることも防止できる。
【００１１】
また、本発明の電子機器は、記録紙に対して印刷するプリンターであり、
前記可動部は、印刷後の前記記録紙を切断するオートカッターであることが好ましい。
この構成の電子機器によれば、オートカッターによって記録紙を切断する際に生じる紙粉などの塵埃が落下して基板の電子部品に付着するような不具合を防止することができ、常に良好な印刷性能を確保することができる。
【図面の簡単な説明】
【００１２】
【図１】本発明に係る電子機器の一実施形態であるプリンターを示す斜視図である。
【図２】図１のプリンターのカバーを開いた状態の斜視図である。
【図３】図１のプリンター機構の構造を示す断面図である。
【図４】図１のプリンターの底部側の構造を示す分解斜視図である。
【図５】図１のプリンターの底部側の構造を示す断面図である。
【発明を実施するための形態】
【００１３】
以下、本発明に係る電子機器の実施形態の例について図面を参照して説明する。
図１は本発明に係る電子機器の実施形態の例であるプリンターの斜視図、図２はプリンターのカバーを開いた状態の斜視図、図３はプリンター機構の構造を示す断面図、図４はプリンターの底部側の構造を示す分解斜視図、図５はプリンターの底部側の構造を示す断面図である。
図１から図３に示すように、本発明に係る電子機器の一実施形態であるプリンター（電子機器）１は、例えば、記録媒体の一例であるロール状の記録紙Ｓに対して感熱方式のサーマルヘッド２により印刷を行うものであり、例えば、ＰＯＳシステム等に用いられるレシートプリンターである。
【００１４】
プリンター１は、そのプリンター機構３が、樹脂からなるケース本体（筺体）４によって覆われており、プリンター機構３に設けられたロール紙収容部５に記録紙Ｓが収容可能とされている。
ケース本体４の上部は、上部カバー６及び前方カバー７によって覆われており、上部カバー６は、プリンター機構３を構成するカバーフレーム２２に取り付けられ、プリンター１の後方側における水平軸線を中心として回動可能とされている。そして、この上部カバー６を回動させることにより、ロール紙収容部５が開閉される。
上部カバー６及び前方カバー７の間には、排紙口８が設けられており、この排紙口８から、印刷された記録紙Ｓが排出される。
【００１５】
プリンター１の上部における一側部側には、オープンボタン１１が設けられており、このオープンボタン１１を押下すると、上部カバー６が取り付けられたカバーフレーム２２をロックしているロック機構（図示省略）によるロックが解除され、上部カバー６を開いてロール紙収容部５を露出させることができるようになっている。また、プリンター１の上部における一側部側には、動作状況などを表示するＬＥＤ等の表示ランプを有するインジケータ部１２が設けられている。
【００１６】
プリンター機構３は、本体フレーム２１を備えており、この本体フレーム２１に、カバーフレーム２２が回動可能に連結されている。この本体フレーム２１の前方側には、記録紙Ｓを切断するオートカッター（可動部）２３が設けられており、前方カバー７によって覆われている。
【００１７】
カバーフレーム２２を開いた内部には、ロール紙収容部５の下方側を形成する樹脂製のロール紙ホルダー２４が設けられている。
カバーフレーム２２の先端には、上部カバー６を閉じた状態でサーマルヘッド２と対向するプラテンローラー３１が設けられており、このプラテンローラー３１は、駆動機構（図示省略）によって回転する。そして、このプラテンローラー３１が回転すると、記録紙Ｓは、プラテンローラー３１とサーマルヘッド２とに挟持されて紙送りされ、排紙口８から排出される。
【００１８】
オートカッター２３は、カバーフレーム２２の先端に設けられた固定刃３３と、本体フレーム２１側に設けられた可動刃３４とを備えており、これらの固定刃３３及び可動刃３４は、その刃筋方向がプリンター１の幅方向に沿うように配置されている。可動刃３４は、駆動機構３５によって、固定刃３３との間に所定の隙間をあけた待機位置と、固定刃３３に重なる切断終了位置との間で移動される。
そして、サーマルヘッド２による印刷処理位置を通過した記録紙Ｓは、待機位置から切断終了位置へ可動刃３４が移動されることにより、可動刃３２と固定刃３３とによって切断される。
【００１９】
図４及び図５に示すように、プリンター１には、使用状態における本体フレーム２１の下部に、回路基板（基板）４１が内蔵されており、この回路基板４１には、オートカッター２３、サーマルヘッド２及びプラテンローラー３１などの被制御部を制御する各種の電子部品４２が搭載されている。
【００２０】
回路基板４１は、主に電子部品４２が搭載される搭載面４１ａ（部品面）と、主に搭載された電子部品４２間を接続する回路パターンが形成された回路面４１ｂ（半田面）とを有している。また、この回路基板４１には、複数の取付孔４１ｃが形成されている。
そして、この回路基板４１は、取付孔４１ｃに通されたネジ４３を、本体フレーム２１の下面に設けられたステー４４のネジ孔へねじ込むことにより、搭載面４１ａを下に向けて取り付けられている。
また、搭載面４１ａと反対の面である回路面４１ｂには、絶縁性を有する樹脂フィルムからなる保護シート４５が設けられている。保護シート４５は、樹脂の保護板でもよい。
【００２１】
また、この回路基板４１の搭載面４１ａには、雌型コネクター（コネクター）４６が搭載されており、この雌型コネクター４６には、プリンター機構３側から引き回されているケーブル４７に設けられた雄型コネクター（コネクター）４８が接合され、雌型コネクター４６及び雄型コネクター４８の端子同士が電気的に接続される。
【００２２】
上記のような回路基板４１が取り付けられた本体フレーム２１の下方側には、着脱可能な底部カバー（蓋）４９が取り付けられている。この底部カバー４９は、ケース本体４の下方部分を構成するものであり、この底部カバー４９によって回路基板４１が覆われている。つまり、この底部カバー４９を含む共通のケース本体４内に、オートカッター２３を含むプリンター機構３と回路基板４１とが配置されている。
【００２３】
上記プリンター１において、裏返して底部カバー４９を取り外すと、本体フレーム２１の下方に配置された回路基板４１の搭載面４１ａが露出される。これにより、回路基板４１の搭載面４１ａに搭載されている電子部品４２が容易にメンテナンス可能となり、また、雌型コネクター４６と雄型コネクター４８との接合状態のチェックも可能となる。
【００２４】
このように、上記実施形態の電子機器であるプリンター１によれば、下部から回路基板４１へのアクセスが容易であり、メンテナンス性が良好である。例えば底部カバー４９を取り外すだけで、回路基板４１の電子部品４２の搭載面４１ａを容易に露出させることができ、メンテナンス作業を容易に行うことができる。また、回路基板４１に搭載されたプリンター１の初期設定を行うためのスイッチの操作も容易である。
【００２５】
また、使用状態では下部になる位置に、回路基板４１の電子部品４２を搭載した搭載面４１ａが下に向けられて配置された構造であるので、プリンター１に誤って水がかかっても電子部品４２まで水が浸入せず、電子部品４２への水の付着を防止することができる。上部のオートカッター２３、サーマルヘッド２及びプラテンローラー３１で、ある程度水が溜まり、さらに保護シート４５で水の侵入を防止することができ、さらに電子部品４２が下向きで装着されているので、ほぼ完全に電子部品４２に水が掛かることがなく、溜まることもない。また、上方側の可動部であるオートカッター２３によって記録紙Ｓが切断されて生じた紙粉やその他の塵埃がプリンター１内に落下しても、同様に、それらが電子部品４２に付着することを防止することができる。特に、紙粉やその他の塵埃が、空気の流れにより回り込んできたとしても、電子部品４２が下向きで装着されているので、電子部品４２に溜まることもない。回路基板４１の搭載面４１ａの雌型コネクター４６のケーブル４７の接合部も同様に保護される。付着した紙粉などが湿気を吸って、電子部品４２や雌型コネクター４６の端子間を導通させることも防止できる。このように、プリンター１は電子部品４２に水や塵埃が付着することによる電子部品４２の不具合を防止し、常に良好な印刷性能を確保することができる。
【００２６】
また、電子部品４２間を接続する回路面４１ｂに配置された保護シート４５によって上部から落下してきた水や塵埃を遮断して、回路基板４１の回路面４１ｂへの水や塵埃の付着を防止することができる。なお、回路面４１ｂには、保護シート４５を設ける代わりに絶縁性を有する保護板を配置しても良い。その場合も、保護板によって回路基板４１の回路面４１ｂへの水や塵埃の付着を防止することができる。
【００２７】
また、回路基板４１の搭載面４１ａに設けられた雌型コネクター４６に対する雄型コネクター４８の接続状態のチェックなどのメンテナンスも容易に行うことができ、雌型コネクター４６への雄型コネクター４８の挿抜も容易に行うことができる。
【００２８】
なお、上記実施形態では、記録紙Ｓに印刷を施して送り出し、オートカッター２３で切断するプリンター１を例示して説明したが、本発明の電子機器はプリンターに限定されるものではない。
【符号の説明】
【００２９】
１：プリンター（電子機器）、２：サーマルヘッド（被制御部）、４：ケース本体（筺体）、２３：オートカッター（可動部，被制御部）、３１：プラテンローラー（被制御部）、４１：回路基板（基板）、４１ａ：搭載面（電子部品を搭載した面）、４１ｂ：回路面（電子部品間が接続された面）、４２：電子部品、４５：保護シート、４６：雌型コネクター（コネクター）、４８：雄型コネクター（コネクター）、４９：底部カバー（蓋）、Ｓ：記録紙
【図１】
2011037181.tif 000003
【図２】
2011037181.tif 000004
【図３】
2011037181.tif 000005
【図４】
2011037181.tif 000006
【図５】
2011037181.tif 000007